(57)【要約】【課題】省スペース化、コンパクト化、低コスト化を実現できるとともに、ジャム処理が容易であり、その処理における安全性の向上を図ることができ、メンテナンスや部品交換の容易性を向上できるようにする。【解決手段】作像装置により形成された画像を中間転写ベルト１２に転写し、該第１の画像を転写ローラ１８により転写ベルト１７に転写する。その後、中間転写ベルト１２に第２の画像を担持させ、転写紙Ｓの１面に第２の画像を転写し、転写チャージャ２０により他面に第１の画像を転写する。転写紙Ｓは分離コロナチャージャ８０により転写ベルト１７より分離される。側面カバー６１は軸６２を支点として回動可能に設けられ、開放時、転写ベルト１７は側面カバー６１と一体に移動し、転写チャージャ２０及び分離コロナチャージャ８０は装置本体２内部に残る。【選択図】      図２
2004240376.tif 000002
【特許請求の範囲】
【請求項１】
作像手段から転写されて１次像担持体上に担持された第１の画像を１次転写位置で１次転写手段により２次像担持体上に転写した後、上記１次像担持体上に別途第２の画像を担持させ、上記第２の画像を上記１次転写位置で上記１次転写手段により、上記第１の画像を２次転写位置で２次転写手段によりそれぞれシート状記録媒体に転写し、シート状記録媒体の両面に画像を形成する画像形成装置において、
上記２次転写手段と上記２次像担持体とが分離可能に設けられていることを特徴とする画像形成装置。
【請求項２】
作像手段から転写されて１次像担持体上に担持された第１の画像を１次転写位置で１次転写手段により２次像担持体上に転写した後、上記１次像担持体上に別途第２の画像を担持させ、上記第２の画像を上記１次転写位置で上記１次転写手段により、上記第１の画像を２次転写位置で２次転写手段によりそれぞれシート状記録媒体に転写し、シート状記録媒体の両面に画像を形成する画像形成装置において、
上記シート状記録媒体を搬送する記録媒体搬送手段から該シート状記録媒体を分離する記録媒体分離手段を有し、該記録媒体分離手段と上記記録媒体搬送手段とが分離可能に設けられていることを特徴とする画像形成装置。
【請求項３】
請求項２記載の画像形成装置において、
上記記録媒体搬送手段が、上記２次像担持体であることを特徴とする画像形成装置。
【請求項４】
請求項２又は３記載の画像形成装置において、
上記記録媒体分離手段が、分離コロナチャージャであることを特徴とする画像形成装置。
【請求項５】
請求項２又は３記載の画像形成装置において、
上記記録媒体分離手段が、除電針であることを特徴とする画像形成装置。
【請求項６】
請求項２又は３記載の画像形成装置において、
上記記録媒体分離手段が、除電ブラシであることを特徴とする画像形成装置。
【請求項７】
請求項１記載の画像形成装置において、
上記２次像担持体が、回動又は直線的移動により画像形成装置本体に対して開閉可能に設けられ、該２次像担持体を開放したときに上記２次転写手段は画像形成装置本体側に残ることを特徴とする画像形成装置。
【請求項８】
請求項２記載の画像形成装置において、
上記２次像担持体が、回動又は直線的移動により画像形成装置本体に対して開閉可能に設けられ、該２次像担持体を開放したときに上記記録媒体分離手段は画像形成装置本体側に残ることを特徴とする画像形成装置。
【請求項９】
請求項１記載の画像形成装置において、
上記２次転写手段が、上記１次像担持体又はその他の作像関連部材と一体にユニット化され、該ユニットは画像形成装置本体に対して引き出し自在に設けられていることを特徴とする画像形成装置。
【請求項１０】
請求項１記載の画像形成装置において、
上記記録媒体分離手段が、上記１次像担持体又はその他の作像関連部材と一体にユニット化され、該ユニットは画像形成装置本体に対して引き出し自在に設けられていることを特徴とする画像形成装置。
【発明の詳細な説明】
【０００１】
【発明の属する技術分野】
本発明は、複写機、プリンタ、ファクシミリ、プロッタ等の画像形成装置に関し、詳しくは、シート状記録媒体の両面に同時に又は同時的に画像形成が可能な画像形成装置に関する。
【０００２】
【従来の技術】
昨今の複写機、プリンタ等の電子写真装置においては、シート状記録媒体への両面転写による画像形成が一般的となっている。しかしながら、シート状記録媒体への転写方法としては、シート状記録媒体の１面へ第１の画像を転写、定着した後、両面反転装置等を用いてシート状記録媒体を反転給紙し、シート状記録媒体の他面（第２面）へ第２の画像を転写、定着するプロセスとなっている。
このような方法によるシート状記録媒体への両面印字では、両面反転装置等が必要不可欠となり、両面反転動作（スイッチバック）によって両面画像形成時のファーストプリントタイムが遅くなるのを否めなかった。
【０００３】
特開２０００−３５２８８９号公報には、両面反転装置等を用いずに両面印字を行う画像形成装置が開示されている。この装置では、感光体等の作像装置が、シート状記録媒体の第１面用、第２面用としてそれぞれ設けられている。
しかしながら、シート状記録媒体の各面に対応してそれぞれ作像装置を設ける構成では、省スペース化、コンパクト化、低コスト化が望まれる今日において、装置サイズが大きくなることを避けられず、また、装置コストの上昇を抑えられなかった。
【０００４】
【特許文献１】
特開２０００−３５２８８９号公報
【０００５】
【発明が解決しようとする課題】
例えば、１つの作像手段（タンデム方式を含む）に形成された画像を１次像担持体上に担持させ、該第１の画像を１次転写位置で１次転写手段によりベルト状の２次像担持体上に転写した後、上記１次像担持体上に別途第２の画像を担持させ、上記第２の画像を上記１次転写位置で上記１次転写手段により、上記第１の画像を２次転写位置で２次転写手段によりそれぞれシート状記録媒体に転写し、シート状記録媒体の両面に画像を形成する構成とすれば、作像手段は１つで済むので、省スペース化、コンパクト化、低コスト化を実現できる。
【０００６】
このような方式の場合、２次転写手段又は、両面に画像が転写されたシート状記録媒体を搬送手段から分離する記録媒体分離手段は２次像担持体のベルト外方に設けられることになるが、シート状記録媒体は、２次転写手段又は記録媒体分離手段と２次像担持体の間を搬送路として通過することになる。
従って、２次転写手段又は記録媒体分離手段が２次像担持体と一体に構成されていると、ジャムが生じた場合にその処理作業が面倒となる。
また、記録媒体分離手段として除電針や除電ブラシ等を用いた場合、ジャム処理作業領域が狭いとユーザーが直接記録媒体分離手段に触れる危険性があり、トナー汚れや形状上からの傷付けやすさ、記録媒体分離手段の機能上の劣化等の問題があった。
また、メンテナンスや部品交換の観点からもその容易性に関して問題があった。
【０００７】
そこで、本発明は、省スペース化、コンパクト化、低コスト化を実現できるとともに、ジャム処理が容易であり、その処理における安全性の向上を図ることができ、メンテナンスや部品交換の容易性を向上できる画像形成装置の提供を、その主な目的とする。
【０００８】
【課題を解決するための手段】
上記目的を達成するために、請求項１記載の発明では、作像手段から転写されて１次像担持体上に担持された第１の画像を１次転写位置で１次転写手段により２次像担持体上に転写した後、上記１次像担持体上に別途第２の画像を担持させ、上記第２の画像を上記１次転写位置で上記１次転写手段により、上記第１の画像を２次転写位置で２次転写手段によりそれぞれシート状記録媒体に転写し、シート状記録媒体の両面に画像を形成する画像形成装置において、上記２次転写手段と上記２次像担持体とが分離可能に設けられている、という構成を採っている。
【０００９】
請求項２記載の発明では、作像手段から転写されて１次像担持体上に担持された第１の画像を１次転写位置で１次転写手段により２次像担持体上に転写した後、上記１次像担持体上に別途第２の画像を担持させ、上記第２の画像を上記１次転写位置で上記１次転写手段により、上記第１の画像を２次転写位置で２次転写手段によりそれぞれシート状記録媒体に転写し、シート状記録媒体の両面に画像を形成する画像形成装置において、上記シート状記録媒体を搬送する記録媒体搬送手段から該シート状記録媒体を分離する記録媒体分離手段を有し、該記録媒体分離手段と上記記録媒体搬送手段とが分離可能に設けられている、という構成を採っている。
【００１０】
請求項３記載の発明では、請求項２記載の画像形成装置において、上記記録媒体搬送手段が、上記２次像担持体である、という構成を採っている。
【００１１】
請求項４記載の発明では、請求項２又は３記載の画像形成装置において、上記記録媒体分離手段が、分離コロナチャージャである、という構成を採っている。
【００１２】
請求項５記載の発明では、請求項２又は３記載の画像形成装置において、上記記録媒体分離手段が、除電針である、という構成を採っている。
【００１３】
請求項６記載の発明では、請求項２又は３記載の画像形成装置において、上記記録媒体分離手段が、除電ブラシである、という構成を採っている。
【００１４】
請求項７記載の発明では、請求項１記載の画像形成装置において、上記２次像担持体が、回動又は直線的移動により画像形成装置本体に対して開閉可能に設けられ、該２次像担持体を開放したときに上記２次転写手段は画像形成装置本体側に残る、という構成を採っている。
【００１５】
請求項８記載の発明では、請求項２記載の画像形成装置において、上記２次像担持体が、回動又は直線的移動により画像形成装置本体に対して開閉可能に設けられ、該２次像担持体を開放したときに上記記録媒体分離手段は画像形成装置本体側に残る、という構成を採っている。
【００１６】
請求項９記載の発明では、請求項１記載の画像形成装置において、上記２次転写手段が、上記１次像担持体又はその他の作像関連部材と一体にユニット化され、該ユニットは画像形成装置本体に対して引き出し自在に設けられている、という構成を採っている。
【００１７】
請求項１０記載の発明では、請求項１記載の画像形成装置において、上記記録媒体分離手段が、上記１次像担持体又はその他の作像関連部材と一体にユニット化され、該ユニットは画像形成装置本体に対して引き出し自在に設けられている、という構成を採っている。
【００１８】
【発明の実施の形態】
以下、本発明の実施形態を図１乃至図５に基づいて説明する。
図１に示すように、画像形成装置としてのフルカラープリンタ１の装置本体（画像形成装置本体）２には、その操作面側に矢印Ｆ方向に回動自在な外装カバーとしての前面カバー４５が設けられており、操作面に向かって右側には矢印Ｒ方向に回動自在な外装カバーとしての側面カバー６１が設けられている。装置本体２の上面には、画像形成済みのシート状記録媒体を排紙・スタックするための排紙スタック部２９が形成されている。
【００１９】
フルカラープリンタ１は、いわゆるタンデム方式で両面にほぼ同時に印刷可能な構成を有している。その構成の概要を図２に基づいて説明する。
装置本体２の略中央部には、画像情報に応じた各色毎の画像を形成する作像装置４２Ｙ、４２Ｍ、４２Ｃ、４２Ｂｋが配置されており、各作像装置４２Ｙ、４２Ｍ、４２Ｃ、４２Ｂｋに対向して１次像担持体としての中間転写ベルト１２が配置されている。
各作像装置４２Ｙ、４２Ｍ、４２Ｃ、４２Ｂｋの下方には、光書き込み手段８が配置されており、１次像担持体１２の図中右側には、２次像担持体としての転写ベルト１７がその転写面が略垂直方向に延びるように配置されている。
光書き込み手段８の下方には、シート状記録媒体としての転写紙Ｓを供給する給紙手段としての給紙カセット２３、２４が設けられている。給紙カセット２３、２４から給紙コロ２５、２６により最上のものから順に１枚ずつ分離されて給紙された転写紙Ｓは、搬送ローラ対により搬送路２７をレジストローラ対２８に向けて搬送されるようになっている。
【００２０】
各作像装置４２Ｙ、４２Ｍ、４２Ｃ、４２Ｂｋは、それぞれイエロー、マゼンタ、シアン、ブラックの各色の現像を行うものであり、用いるトナーの色が異なるが、その構成は同様であるので、作像装置４２Ｙの構成を各作像装置４２Ｙ、４２Ｍ、４２Ｃ、４２Ｂｋの代表例として説明し、他については対応する符号を付して説明を省略する。
作像装置４２Ｙは、静電潜像担持体としての感光体ドラム３Ｙと、感光体ドラム３Ｙの周りにその回転方向（矢印方向）に沿って順に配置されている帯電装置４Ｙ、現像スリーブ５Ｙを有する現像装置６Ｙ、クリーニング装置７Ｙを有し、帯電装置４Ｙと現像装置６Ｙの間で光書き込み手段８からの露光光８Ｙを受ける周知の構成が用いられている。
【００２１】
中間転写ベルト１２は、駆動ローラ９、従動ローラ１０及びテンションローラ１１間に掛け回されており、テンションローラ１１に対向するベルト外方位置にはクリーニング装置１４が設けられている。
各作像装置４２Ｙ、４２Ｍ、４２Ｃ、４２Ｂｋで形成された画像は、各感光体ドラム３Ｙ、３Ｍ、３Ｃ、３Ｂｋに対向してベルト内方位置に設けられたバイアスローラ１３Ｙ、１３Ｍ、１３Ｃ、１３Ｂｋに印加される転写バイアスにより、中間転写ベルト１２上に順次重ね合わせて転写される。
中間転写ベルト１２上に転写されたフルカラートナー画像は、駆動ローラ９に対向して設けられた１次転写手段としての転写ローラ１８に印加される転写バイアスにより転写ベルト１７上に転写される。その結果、転写ベルト１７上では、転写紙Ｓに対する１面用のフルカラートナー画像（第１の画像）が維持・搬送される。
中間転写ベルト１２側ではその表面がクリーニング装置１４によりクリーニングされ、次の作像、転写に備えられる。
【００２２】
転写ローラ１８は、バネ２２により駆動ローラ９方向へ付勢されている。転写ベルト１７は、駆動ローラ１５、従動ローラ１６、テンションローラ１９、転写ローラ１８間に掛け回されており、駆動ローラ１５に対向するベルト外方位置にはクリーニング装置２１が設けられている。
転写ベルト１７への第１の画像の転写後、中間転写ベルト１２が所定の位置まで移動すると、転写紙Ｓに対する他面用の作像工程が開始される。この場合の作像工程は前述の１面用のフルカラートナー画像形成時と同様であり、そのフルカラートナー画像（第２の画像）を中間転写ベルト１２上に担持させる。
【００２３】
第２の画像の作像工程終了後、レジストローラ対２８により所定のタイミング（第２の画像の先端と転写紙Ｓの搬送方向の所定位置とが一致するタイミング）で転写紙Ｓが転写ローラ１８による１次転写位置に向けて搬送される。
１次転写位置で中間転写ベルト１２上のフルカラートナー画像（第２の画像）が転写紙Ｓの他面側に転写される。引き続き、記録媒体搬送手段としての転写ベルト１７により搬送される転写紙Ｓの１面に、２次転写位置に配置された２次転写手段としての転写チャージャ２０により、転写ベルト１７上のフルカラートナー画像（第１の画像）が転写される。
【００２４】
すなわち、１枚の転写紙Ｓに１次転写位置と２次転写位置でほぼ同時に両面印刷がなされる。両面にフルカラートナー画像がほぼ同時に転写された転写紙Ｓは、転写チャージャ２０の下流近傍に配置された記録媒体分離手段としての分離コロナチャージャ８０により、転写ベルト１７より分離され、搬送経路３０を経て定着装置３１へ搬送される。
定着装置３１で熱と圧力によりフルカラートナー画像を両面に溶融定着された転写紙Ｓは、排紙ローラ対３２により排紙スタック部２９に排紙される。
第１の画像を転写紙Ｓに転写した後の転写ベルト１７の表面は、クリーニング装置２１によりクリーニングされる。
【００２５】
中間転写ベルト１２の上方には、補給用トナータンク３３が配置されている。補給用トナータンク３３は、イエロー用のトナータンク３３ａ、マゼンタ用のトナータンク３３ｂ、シアン用のトナータンク３３ｃ、ブラック用のトナータンク３３ｄ、３３ｅを有している。
側面カバー６１は、下端部を軸６２で回動自在に支持されて上述のように矢印Ｒ方向に回動自在に設けられている。側面カバー６１には、転写ベルト１７、駆動ローラ１５、従動ローラ１６、テンションローラ１９、転写ローラ１８、バネ２２、クリーニング装置２１等が一体に設けられており、１つのユニットを構成している。
【００２６】
図３は、側面カバー６１を開放した状態を示している。側面カバー６１を外方に回動した場合、転写ベルト１７は側面カバー６１と一体に変位し、２次転写手段としての転写チャージャ２０及び記録媒体分離手段としての分離コロナチャージャ８０は装置本体２の内部に据え置かれる。
これにより、略垂直方向に延びる転写紙Ｓの搬送経路が開放され、ジャムが生じた場合には側面カバー６１を開放することによりジャム紙の取り出しが容易となる。図３において、符号６３は、転写ベルト１７等を含む２次転写ユニットの保護カバーを示す。
【００２７】
図４は、前面カバー４５を開放した状態を示している。前面カバー４５を開放すると、補給用トナータンク３３が露出するとともに、引出しユニット４４、４１、４３が露出する。前面カバー４５の内面には、引出しユニット４４、４１、４３を保護するインナーカバー４６が設けられている。
１段目の引出しユニット４４には、中間転写ベルト１２、駆動ローラ９、従動ローラ１０、テンションローラ１１、クリーニング装置１４、バイアスローラ１３Ｙ、１３Ｍ、１３Ｃ、１３Ｂｋ、転写チャージャ２０、分離コロナチャージャ８０等が一体に設けられている。
【００２８】
２段目の引出しユニット４１には、作像装置４２Ｙ、４２Ｍ、４２Ｃ、４２Ｂｋ等が一体に設けられている。
３段目の引出しユニット４３には、光書き込み手段８等が一体に設けられている。これらの引出しユニット４４、４１、４３は操作面側手前に引き出し自在に設けられており、上記した各要素のメンテナンスや交換作業が容易に行えるようになっている。
図５は、１段目の引出しユニット４４を引き出した状態を示している。引出しユニット４４はスライドレール５９を介して出し入れ自在に設けられている。図に示すように、引出しユニット４４の引き出しにより、転写チャージャ２０や分離コロナチャージャ８０が、装置本体２の内部の転写ベルト１７とは分離して引き出される。
図５において、符号５６は中間転写ベルト１２等を含む中間転写ユニットの保護カバーを示し、符号５７は中間転写ユニット交換用の取っ手を示す。
【００２９】
上記実施形態では、記録媒体分離手段として分離コロナチャージャ８０を用いたが、周知構成の除電針を設ける構成としてもよく、あるいは周知構成の除電ブラシを設ける構成としてもよい。
【００３０】
【発明の効果】
請求項１記載の発明によれば、作像手段から転写されて１次像担持体上に担持された第１の画像を１次転写位置で１次転写手段により２次像担持体上に転写した後、上記１次像担持体上に別途第２の画像を担持させ、上記第２の画像を上記１次転写位置で上記１次転写手段により、上記第１の画像を２次転写位置で２次転写手段によりそれぞれシート状記録媒体に転写し、シート状記録媒体の両面に画像を形成する画像形成装置において、上記２次転写手段と上記２次像担持体とが分離可能に設けられている構成としたので、シート状記録媒体の搬送路を開放することができ、ジャム処理作業を容易に行うことができる。また、ジャム紙の除去時に２次転写手段を損傷する等の危険性を抑制できる。
【００３１】
請求項２記載の発明によれば、作像手段から転写されて１次像担持体上に担持された第１の画像を１次転写位置で１次転写手段により２次像担持体上に転写した後、上記１次像担持体上に別途第２の画像を担持させ、上記第２の画像を上記１次転写位置で上記１次転写手段により、上記第１の画像を２次転写位置で２次転写手段によりそれぞれシート状記録媒体に転写し、シート状記録媒体の両面に画像を形成する画像形成装置において、上記シート状記録媒体を搬送する記録媒体搬送手段から該シート状記録媒体を分離する記録媒体分離手段を有し、該記録媒体分離手段と上記記録媒体搬送手段とが分離可能に設けられている構成としたので、シート状記録媒体の搬送路を開放することができ、ジャム処理作業を容易に行うことができる。また、ジャム紙の除去時に記録媒体分離手段を損傷したり作業者のトナー汚損や怪我等の危険性を抑制できるとともに、メンテナンスや部品の交換作業の容易化を図ることができる。
【００３２】
請求項３記載の発明によれば、請求項２記載の画像形成装置において、上記記録媒体搬送手段が、上記２次像担持体である構成としたので、シート状記録媒体の搬送路を開放することができ、ジャム処理作業を容易に行うことができる。また、ジャム紙の除去時に記録媒体分離手段を損傷したり作業者のトナー汚損や怪我等の危険性を抑制できるとともに、メンテナンスや部品の交換作業の容易化を図ることができる。
【００３３】
請求項４記載の発明によれば、請求項２又は３記載の画像形成装置において、上記記録媒体分離手段が、分離コロナチャージャである構成としたので、ジャム紙の除去時に分離コロナチャージャを損傷したり作業者のトナー汚損や怪我等の危険性を抑制できるとともに、メンテナンスや部品の交換作業の容易化を図ることができる。
【００３４】
請求項５記載の発明によれば、請求項２又は３記載の画像形成装置において、上記記録媒体分離手段が、除電針である構成としたので、ジャム紙の除去時に除電針を損傷したり作業者のトナー汚損や怪我等の危険性を抑制できるとともに、メンテナンスや部品の交換作業の容易化を図ることができる。
【００３５】
請求項６記載の発明によれば、請求項２又は３記載の画像形成装置において、上記記録媒体分離手段が、除電ブラシである構成としたので、ジャム紙の除去時に除電ブラシを損傷したり作業者のトナー汚損や怪我等の危険性を抑制できるとともに、メンテナンスや部品の交換作業の容易化を図ることができる。
【００３６】
請求項７記載の発明によれば、請求項１記載の画像形成装置において、上記２次像担持体が、回動又は直線的移動により画像形成装置本体に対して開閉可能に設けられ、該２次像担持体を開放したときに上記２次転写手段は画像形成装置本体側に残る構成としたので、シート状記録媒体の搬送路を容易に開放することができ、ジャム処理作業を容易に行うことができる。また、ジャム紙の除去時に２次転写手段を損傷したり作業者のトナー汚損や怪我等の危険性を抑制できるとともに、メンテナンスや部品の交換作業の容易化を図ることができる。
【００３７】
請求項８記載の発明によれば、請求項２記載の画像形成装置において、上記２次像担持体が、回動又は直線的移動により画像形成装置本体に対して開閉可能に設けられ、該２次像担持体を開放したときに上記記録媒体分離手段は画像形成装置本体側に残る構成としたので、シート状記録媒体の搬送路を容易に開放することができ、ジャム処理作業を容易に行うことができる。また、ジャム紙の除去時に記録媒体分離手段を損傷したり作業者のトナー汚損や怪我等の危険性を抑制できるとともに、メンテナンスや部品の交換作業の容易化を図ることができる。
【００３８】
請求項９記載の発明によれば、請求項１記載の画像形成装置において、上記２次転写手段が、上記１次像担持体又はその他の作像関連部材と一体にユニット化され、該ユニットは画像形成装置本体に対して引き出し自在に設けられている構成としたので、メンテナンスや部品の交換作業の容易化を一層向上させることができる。
【００３９】
請求項１０記載の発明によれば、請求項１記載の画像形成装置において、上記記録媒体分離手段が、上記１次像担持体又はその他の作像関連部材と一体にユニット化され、該ユニットは画像形成装置本体に対して引き出し自在に設けられている構成としたので、メンテナンスや部品の交換作業の容易化を一層向上させることができる。
【図面の簡単な説明】
【図１】本発明の実施形態における画像形成装置としてのフルカラープリンタの概要斜視図である。
【図２】フルカラープリンタの全体構成を示す概要正面図である。
【図３】側面カバー６１を開放して、２次像担持体としての転写ベルト１７と、装置本体２側に残る２次転写手段としての転写チャージャと記録媒体分離手段としての分離チャージャを分離した状態の概要斜視図である。
【図４】前面カバー４５を開放した状態の概要斜視図である。
【図５】前面カバー４５を開放し、１次像担持体や転写チャージャ２０、分離チャージャ８０等を一体に有する引出しユニット４４を手前に引き出した状態の概要斜視図である。
【符号の説明】
４２Ｙ、４２Ｍ、４２Ｃ、４２Ｂｋ  作像手段としての作像装置
１２  １次像担持体としての中間転写ベルト
１８  １次転写手段としての転写ローラ
１７  ２次像担持体としての転写ベルト
２０  ２次転写手段としての転写チャージャ
Ｓ  シート状記録媒体としての転写紙
１７  記録媒体搬送手段としての転写ベルト
８０  記録媒体分離手段としての分離コロナチャージャ
【図１】
2004240376.tif 000003
【図２】
2004240376.tif 000004
【図３】
2004240376.tif 000005
【図４】
2004240376.tif 000006
【図５】
2004240376.tif 000007